(57)【要約】【課題】経験した事象を自動的に蓄積しネットワークにてキーワード検索する手法よりも応答性がよく効率的にかつ個人にとって実益の高い情報を取り出す。【解決手段】検索対象となる情報がユーザの経験によって得た情報とユーザに必要とされる情報とを蓄積したユーザに直接関連する情報のなかから選択される仕組みにおいて、データ蓄積部１５に蓄積された情報から同一キーワードを有する情報を抽出し、抽出した情報の時間的間隔を算出し、間隔リストを作成するデータ解析部２２と、データ解析部２２にて作成されたインターバルリストが記憶されるリスト記憶部２３とを設けることにより、ユーザが情報を検索するに際して、ある場所、あるカテゴリ、ある条件等に関連する情報に繰り返しアクセスする場合に、これら情報へのアクセス間隔に応じてユーザに提示する情報を整理する。【選択図】図１
2005149125.tif 000002
【特許請求の範囲】
【請求項１】
使用者が経験した事象に関連するとともに時間情報を含む経験情報を取得する情報取得手段と、
上記取得した経験情報に使用者が私的に必要とする私的情報を付加する私的情報付加手段と、
上記経験情報及び私的情報を蓄積する蓄積手段と、
上記私的情報付加手段にて上記私的情報が付加された経験情報を属性毎に分類して上記蓄積手段に蓄積するデータ蓄積制御手段と、
上記蓄積された経験情報及び私的情報から繰り返し取得された情報を所定期間にて抽出し該抽出した経験情報の時間的間隔を上記時間情報から算出し経験情報に関連付けた経験発生間隔リストを作成する経験発生間隔リスト作成手段と、
上記経験発生間隔リスト作成手段にて作成された経験発生間隔リストが記憶される経験間隔記憶手段と
を備えることを特徴とする私的情報蓄積装置。
【請求項２】
上記蓄積された経験情報及び私的情報から繰り返し取得された情報を所定期間にて抽出し該抽出した経験情報の時間的間隔を上記時間情報から算出し、繰り返しが周期的に発生する場合にのみ経験発生間隔リストを作成することを特徴とする請求項１記載の私的情報蓄積装置。
【請求項３】
上記経験発生間隔リスト作成手段は、既に経験発生間隔リストが作成された情報を別の期間にて抽出し該抽出した経験情報の時間的間隔を上記時間情報から新たに算出した経験発生間隔によって上記経験発生間隔リストを更新することを特徴とする請求項１記載の私的情報蓄積装置。
【請求項４】
使用者が経験した事象に関連するとともに時間情報を含む経験情報を取得する情報取得工程と、
上記取得した経験情報に使用者が私的に必要とする私的情報を付加する私的情報付加工程と、
上記私的情報付加工程にて上記私的情報が付加された経験情報を属性毎に分類して経験情報及び私的情報を蓄積する蓄積手段に蓄積するデータ蓄積制御工程と、
上記蓄積された経験情報及び私的情報から繰り返し取得された情報を所定期間にて抽出し該抽出した経験情報の時間的間隔を上記時間情報から算出し経験情報に関連付けた経験発生間隔リストを作成する経験発生間隔リスト作成工程と、
上記経験発生間隔リスト作成工程にて作成された経験発生間隔リストを経験間隔記憶手段に記憶する記憶工程と
を有することを特徴とする私的情報蓄積方法。
【請求項５】
使用者が経験した事象に関連するとともに時間情報を含む経験情報を取得する情報取得手段と、
上記取得した経験情報に使用者が私的に必要とする私的情報を付加する私的情報付加手段と、
上記経験情報及び私的情報を蓄積する蓄積手段と、
上記私的情報付加手段にて上記私的情報が付加された経験情報を属性毎に分類して上記蓄積手段に蓄積するデータ蓄積制御手段と、
上記蓄積された経験情報及び私的情報から繰り返し取得された情報又は検索条件として繰り返し入力された情報を所定期間にて抽出し該抽出した経験情報の時間的間隔を上記時間情報から算出し経験情報に関連付けた経験発生間隔リストを作成する経験発生間隔リスト作成手段と、
上記経験発生間隔リスト作成手段にて作成された経験発生間隔リストが記憶される経験間隔記憶手段と、
上記使用者によって検索条件が入力される検索入力手段と、
情報を上記使用者に提示する情報提示手段と、
上記検索入力手段にて入力された検索条件に基づいて蓄積手段に蓄積された情報から適合する情報を検索するとともに上記経験間隔記憶手段に経験発生間隔リストが記憶された情報を優先的に上記情報提示手段に提示する情報検索提示制御手段と
を備えることを特徴とする私的情報管理装置。
【請求項６】
上記経験発生間隔リスト作成手段は、上記蓄積された経験情報及び私的情報から繰り返し取得された情報又は検索条件として繰り返し入力された情報を所定期間にて抽出し該抽出した経験情報の時間的間隔を上記時間情報から算出し、繰り返しが周期的に発生する場合にのみ経験発生間隔リストを作成することを特徴とする請求項５記載の私的情報管理装置。
【請求項７】
上記経験発生間隔リスト作成手段は、既に経験発生間隔リストが作成されたある同一キーワードを有する経験情報を別の期間にて抽出し該抽出した経験情報の時間的間隔を上記時間情報から新たに算出した経験発生間隔によって上記経験発生間隔リストを更新することを特徴とする請求項６記載の私的情報管理装置。
【請求項８】
使用者が経験した事象に関連するとともに時間情報を含む経験情報を取得する情報取得工程と、
上記取得した経験情報に使用者が私的に必要とする私的情報を付加する私的情報付加工程と、
上記私的情報付加工程にて上記私的情報が付加された経験情報を属性毎に分類して経験情報及び私的情報を蓄積する蓄積手段に蓄積するデータ蓄積制御工程と、
上記蓄積された経験情報及び私的情報から繰り返し取得された情報又は検索条件として繰り返し入力された情報を所定期間にて抽出し該抽出した経験情報の時間的間隔を上記時間情報から算出し経験情報に関連付けた経験発生間隔リストを作成する経験発生間隔リスト作成工程と、
上記経験発生間隔リスト作成手段にて作成された経験発生間隔リストを経験間隔記憶手段に記憶する記憶工程と、
上記使用者によって検索条件が入力される検索入力工程と、
上記検索入力工程にて入力された検索条件に基づいて蓄積手段に蓄積された情報から適合する情報を検索するとともに上記経験間隔記憶手段に経験発生間隔リストが記憶された情報を優先的に提示する情報検索提示制御工程と
を有することを特徴とする私的情報管理方法。
【発明の詳細な説明】
【技術分野】
【０００１】
本発明は、私的情報蓄積装置及び私的情報管理装置、並びに情報蓄積方法及び情報管理方法に関し、特に、使用者が経験した事象に関連する情報と使用者が私的に必要とする私的情報とを関連付けて記憶する私的情報蓄積装置及び私的情報管理装置、並びに情報蓄積方法及び情報管理方法を提供することを目的とする。
【背景技術】
【０００２】
近年、いわゆるインターネットのようなネットワーク網の発達や、大容量記録媒体の普及等により、膨大な情報を提供したり入手したりできる環境が整備されつつある。また、これに伴って種々の情報提供サービスが提案されており、これら情報提供サービスでは、大量の情報を効率的・効果的に取り扱うために様々な工夫がされている。
【０００３】
一例として、情報を提供する側は、提供先である使用者個人の嗜好性を抽出することによって個人毎に特徴付けをし、これに合致した情報やサービスを提供する手法（提供する情報のパーソナライゼーション）を採っている。例えば、ネットワーク上のサイトから物品を購入できるオンラインサービス等に採用されている。ネットワーク上で書籍を購入できるサービスでは、情報のパーソナライゼーションを導入することによって、ユーザがある書籍を購入したとき、購入した書籍の著者の作品一覧から推薦図書を提示する機能、このユーザと同一書籍を購入したほかのユーザ群が購入したほかの書籍を提示する機能、このユーザが役立つと思う情報を他のユーザへと知らせる機能等を実現している。また、情報提供を受ける側（情報を閲覧する側）は、使用者個人の嗜好に応じて動作環境や設定等が変更できるようにしている（カスタマイゼーション）。例えば、マウスの応答性を変更できたり、ウィンドウの配色やフォントを変更できる機能がこれにあたる。
【０００４】
情報の提供にも、このようなパーソナライゼーションやカスタマイゼーションを適用することで、情報を効率的かつ効果的に使用できるようにしたシステムは、既に知られている。また、パーソナライゼーションの発展型として、ネットワーク上におけるユーザの行動をリアルタイムでプロファイリングする技術や、ユーザの操作癖を学習してユーザ嗜好に合ったＧＵＩを提供する技術や、ユーザのリアクションを監視することによってエージェントが推薦したコンテンツに対するユーザの嗜好性や反応を観測する技術等が考えられている。
【０００５】
上述したように、提供者が提供する情報を各個人に合わせることによって、その情報やサービスを望むものに対して最適な情報を提供する、いわゆるプッシュ型の情報提供が可能になり、情報提供を受ける側にとっては、所望とする情報を容易に入手できるようになる。
【０００６】
ところが、提供情報を各個人にあわせる（パーソナライゼーション）ためには、情報提供者は、紙面やサイト等のアンケートにて個人レベルの情報を収集したり、個々のユーザに対してユーザの行動履歴（上記書籍の例では、購入履歴等。）を収集したりすることが必要になる。例えば、インターネットを用いた情報提供サービスのなかには、結婚式の挙式・披露宴会場、英会話教室、各種カルチャースクール等に関する料金情報や、雰囲気、サービス内容等に関する情報を、既にこれらを利用したことがあるものからアンケート等によって収集し、収集結果を予め決定した規則にあてはめて、これにマッチングした情報、すなわち施設に関する情報や利用者からの体験情報を表示画面上に一緒に表示することにより、これから利用しようとするものに施設や提供会社を決定する際の判断材料を提供するサービスがある。
【０００７】
この情報提供サービスでは、情報を複数ユーザ間で利用できるようにする際、ユーザが体験データを公開する場合には体験レベルに応じて情報を提供して貰い、情報を検索するユーザが精度の高い情報（所望の情報に近い情報）を取得できるように、収集した各ユーザの体験データを視覚化することによって、多くの文字情報のなかから所望の情報を検索するための検索操作ステップを簡略化している（例えば、特許文献１参照。）。
【０００８】
この特許文献１に記載の技術では、既に挙式・披露宴会場を利用したことがあるものから収集する情報の多くは文字情報であり、提供されている文字情報のなかにユーザが重要視している情報内容が含まれているか否かを直ちに認識することは困難である。そのため、従来のシステムでは、本来必要としない文字情報をも多数読まなくてはならず、ユーザが必要とする情報を探し出すことが困難な場合もあった。このように、提供情報を各個人にあわせる（パーソナライゼーション）技術の多くは、情報提供者が技術を駆使してユーザの嗜好性モデルを抽出するものであり、個々のユーザが好むサービスを提供する場合、複数のユーザにて情報を共有する場合の情報管理に使用されているが、情報を必要とするユーザ個人の細かな好みを必ずしも反映していなかった。
【０００９】
【特許文献１】特開２００３−１６２０２号公報
【発明の開示】
【発明が解決しようとする課題】
【００１０】
本発明は、ユーザが経験した事象に関連する情報を蓄積し読み出しできるように管理し、ネットワークにてキーワード検索する手法よりも応答がよく、抽出される情報から所望の情報を選択する処理も効率的で尚かつ個人にとって実益の高い情報が取り出せる私的情報蓄積装置及び私的情報管理装置を提供することを目的とする。
【課題を解決するための手段】
【００１１】
上述した目的を達成するために、本発明に係る私的情報蓄積装置は、使用者が経験した事象に関連するとともに時間情報を含む経験情報を取得する情報取得手段と、取得した経験情報に使用者が私的に必要とする私的情報を付加する私的情報付加手段と、経験情報及び私的情報を蓄積する蓄積手段と、私的情報付加手段にて私的情報が付加された経験情報を属性毎に分類して蓄積手段に蓄積するデータ蓄積制御手段と、蓄積された経験情報及び私的情報から繰り返し取得された情報を所定期間にて抽出し該抽出した経験情報の時間的間隔を時間情報から算出し経験情報に関連付けた経験発生間隔リストを作成する経験発生間隔リスト作成手段と、経験発生間隔リスト作成手段にて作成された経験発生間隔リストが記憶される経験間隔記憶手段とを備え、経験発生間隔リスト作成手段により蓄積手段に蓄積された経験情報から繰り返し取得された情報を所定期間にて抽出し、該抽出した経験情報の時間的間隔を時間情報から算出し、経験情報に関連付けた経験発生間隔リストを作成して経験間隔記憶手段に記憶する。
【００１２】
また、本発明に係る私的情報管理装置は、私的情報蓄積装置に、更に使用者によって検索条件が入力される検索入力手段と、情報を使用者に提示する情報提示手段と、検索入力手段にて入力された検索条件に基づいて蓄積手段に蓄積された情報から適合する情報を検索するとともに経験間隔記憶手段に経験発生間隔リストが記憶された情報を優先的に情報提示手段に提示する情報検索提示制御手段とを備え、情報検索提示制御手段は、経験発生間隔リストとして記憶された経験情報を優先的に提示する。
【００１３】
上述の私的情報蓄積装置及び私的情報管理装置において、経験発生間隔リスト作成手段は、繰り返し取得された情報又は検索条件として繰り返し入力された情報が周期的に発生する場合にのみ経験発生間隔リストを作成してもよい。また、経験発生間隔リスト作成手段は、既に経験発生間隔リストが作成された情報を別の期間にて抽出し該抽出した経験情報の時間的間隔を時間情報から新たに算出した経験発生間隔によって経験発生間隔リストを更新する。
【００１４】
また、本発明に係る私的情報蓄積方法は、使用者が経験した事象に関連するとともに時間情報を含む経験情報を取得する情報取得工程と、取得した経験情報に使用者が私的に必要とする私的情報を付加する私的情報付加工程と、私的情報付加工程にて私的情報が付加された経験情報を属性毎に分類して経験情報及び私的情報を蓄積する蓄積手段に蓄積するデータ蓄積制御工程と、蓄積された経験情報及び私的情報から繰り返し取得された情報を所定期間にて抽出し該抽出した経験情報の時間的間隔を時間情報から算出し経験情報に関連付けた経験発生間隔リストを作成する経験発生間隔リスト作成工程と、経験発生間隔リスト作成工程にて作成された経験発生間隔リストを経験間隔記憶手段に記憶する記憶工程とを有し、経験発生間隔リスト作成工程において、蓄積手段に蓄積された経験情報から同一キーワードを有する経験情報を所定期間にて抽出し、該抽出した経験情報の時間的間隔を時間情報から算出し、経験情報に関連付けた経験発生間隔リストを作成して経験間隔記憶手段に記憶する。
【００１５】
また、本発明に係る私的情報管理方法は、上述の私的情報蓄積方法に、更に蓄積された経験情報及び私的情報から繰り返し取得された情報又は検索条件として繰り返し入力された情報を所定期間にて抽出し該抽出した経験情報の時間的間隔を時間情報から算出し経験情報に関連付けた経験発生間隔リストを作成する経験発生間隔リスト作成工程と、経験発生間隔リスト作成手段にて作成された経験発生間隔リストを経験間隔記憶手段に記憶する記憶工程と、使用者によって検索条件が入力される検索入力工程と、検索入力工程にて入力された検索条件に基づいて蓄積手段に蓄積された情報から適合する情報を検索するとともに経験間隔記憶手段に経験発生間隔リストが記憶された情報を優先的に提示する。
【発明の効果】
【００１６】
本発明に係る私的情報蓄積装置及び私的情報蓄積方法によれば、ユーザが経験済みの事象に対してそのときの体験を想起させるように記録することができる。また、ユーザの行動のうち繰り返し実行される行動に関する情報を経験発生間隔に基づいて優先的に検索できるように記憶することができる。
【００１７】
また、本発明に係る私的情報管理装置及び私的情報管理方法によれば、ユーザが経験済みの事象に対してそのときの体験を想起させることができる。また、ユーザの行動のうち繰り返し実行される行動に関する情報を経験発生間隔に基づいて記憶し、優先的に提示できるため、ネットワークにてキーワード検索する手法よりも応答がよく、抽出される情報から所望の情報を選択する処理も効率的で、尚かつ個人にとって実益の高い情報が取り出せる。
【発明を実施するための最良の形態】
【００１８】
本発明では、ユーザが情報を検索するに際して、ある場所、あるカテゴリ、ある条件等に関連する情報に繰り返しアクセスする場合、これら情報へのアクセス間隔を算出しアクセス間隔に応じて優先的にユーザに提示できるようにした。本具体例では、ユーザに提示する情報をアクセス間隔に基づいて整理する手法を、特に、検索対象となる情報がユーザの経験によって得た情報とユーザに必要とされる情報とを蓄積したユーザに直接関連する情報のなかから選択される仕組みに適用することを提案する。
【００１９】
本発明では、ユーザがある「経験」した日時や場所、またそのときの映像や音声といった情報は、ユーザが経験した事象に関連する情報として記憶され、経験した事象に対してユーザによって入力される付加的な情報が私的情報として扱われる。例えば、ユーザがある商品を購入した場合、購入日時、購入した店舗の位置情報等が経験した事象の情報であり、店舗の場所の善し悪しに対する評価、このときの接客に対する評価、購入した商品に対する評価、またこれらの評価に対する理由等といった、いわゆるユーザの感想や経験したところ得た教訓であって、「メモ書き」、「覚え書き」のように入力する情報がユーザの私的情報になる。本具体例では、ユーザが経験した事象の情報とともに経験に対する感想や成功や失敗事例が、後々利用できるようにマークや評価値を付加して蓄積される。
【００２０】
本具体例では、ユーザが私的に必要とする情報を私的情報と記す。ユーザの私的情報とは、取得した情報のうち再度利用したいものを分かり易くするために施すマークや、取得した情報に対する評価値等を表し、ユーザが経験した事象に関連する情報に関連して入力できる。
【００２１】
一般的にユーザの行動には、個人毎に傾向が現れる。例えば、仕事で度々行く場所がある、習い事のために立ち寄る駅がある等のように、ユーザによって、ある間隔で実行される行動がある。また、ユーザの仕事、趣味等に応じて必要とする情報（検索対象とする情報）分野にある程度傾向が現れる。
【００２２】
そこで本具体例では、上述のようなユーザの経験に基づいた情報蓄積処理にくわえて更に、繰り返し実行される行動に伴って繰り返し取得される情報、繰り返し検索対象になる特定分野に関する情報等を優先的に提示できるようした。本具体例にて示す私的情報管理装置にて蓄積した情報を利用する場合には、通常のようにユーザが検索条件を入力すれば、過去に類似した経験がある場合、その経験に関連する情報が取り出せる。例えば、以前に同じ場所を訪れていれば、その日時、そのとき購入した商品等の情報と、そのときの評価等の私的情報を提示することができるほか、繰り返し検索対象にあげられた情報や、ユーザの経験に伴って繰り返し取得された関連が優先的に提示することができる。
【００２３】
本発明の具体例として示す私的情報管理装置１の概略を図１に示す。私的情報管理装置１は、情報入力に関わる情報登録フェーズのための情報登録部１０と、これらの情報を蓄積する手段と、こうして取得した情報を後に利用する情報利用フェーズのための情報出力に関わる情報利用部３０とを備えている。
【００２４】
私的情報管理装置１は、情報登録部１０として、経験した事象に関連する情報を取得するための情報取得部１１と、私的情報が付加される私的情報付加部１２と、取得した情報を認識するデータ認識処理部１３と、認識したデータを予め決められた定義にしたがって分類するデータ定義処理部１４と、定義にしたがって分類されたデータを格納するデータ蓄積部１５とを備えている。
【００２５】
情報取得部１１は、ユーザ周囲の情報を取得するカメラ、マイク、ＧＰＳ等の手段であって、画像情報、音声情報、位置情報、日時等を取得できる手段が含まれる。データ認識処理部１３は、カメラ、マイク、ＧＰＳ等にて取得した画像情報、音声情報、位置情報、日時等から特定の情報を抽出する処理を行っている。データ認識処理部１３は、画像認識部１６とテキスト処理部１７と音声処理部１８とを有しており、カメラから取得した画像データを画像認識部１６及びテキスト処理部１７にて画像認識処理及びテキスト認識処理し、特定の画像データ及びテキストデータを抽出する。マイクから取得した音声データであれば、音声認識部１９にて音声を認識し、言語処理部２０にて音声情報をテキストデータに変換し、キーワード抽出部２１では変換されたテキストデータからキーワードを抽出する。
【００２６】
データ認識処理部１３にて抽出されたデータは、データ定義処理部１４において、予め決められた定義にしたがって分類される。例えば、定義には、人物画像、この人物画像に関する家族、兄弟、配偶者、職場関係、友人、年齢層、居住域、国籍等の識別情報、画像データから判別される密集度（高い・低い）、画像データから判別される建物の種類（看板等によるサービス業の種別）、建物の名称（文字列）、日時、天候（晴、雨、曇り等）、気温（高・低）、湿度（高・低）、風（強・弱）、位置情報（緯度、経度、高度）、最寄駅、またユーザのみ理解できる通称名、評価値、評価対象項目（立地条件、店員の評価、商品の評価、店の雰囲気、値段設定、料理の提供時間、その他の条件等）等があり、これら定義に基づいて、取得したデータが分類される。データ蓄積部１５は、上述の定義に基づいて分類されたデータを格納している。
【００２７】
また、情報登録部１０は、データ蓄積部１５に蓄積された情報から同一キーワードを有する情報を抽出し、抽出した情報の時間的間隔を算出し、間隔リストを作成するデータ解析部２２と、データ解析部２２にて作成された間隔リスト（以下、インターバルリストと記す。）が記憶されるリスト記憶部２３とを備えている。
【００２８】
続いて、上述の情報登録部１０にて登録されたユーザの私的情報を利用する場合について説明する。
【００２９】
私的情報管理装置１は、情報利用部３０として、現在の状態を取得する情報取得部３１と、検索条件が入力される検索入力部３２と、取得した情報を認識するデータ認識処理部３３と、データ蓄積部１５から検索条件に適合した情報又は類似した情報を抽出する検索部３４と、抽出された情報をユーザに提示する情報提示部３５とを備えている。
【００３０】
情報取得部３１及びデータ認識処理部３３は、情報登録フェーズと同様の方法で現在地の位置情報やそのほかの情報を取得して認識する。検索入力部３２には、ユーザによって検索条件が入力される。入力方法としては、音声入力、テキスト入力、画像入力等があげられる。検索入力部３２にて音声として入力されれば、データ認識処理部３３は、音声から時間、場所、人に関するキーワードを抽出し、検索入力部３２にテキストデータが入力されれば、データ認識処理部３３は、テキストからキーワードを抽出し、検索入力部３２に画像データが入力されれば、データ認識処理部３３は、画像からキーワードを抽出する。また、スケジュール管理ソフトに記録されたデータを使用することもできる。
【００３１】
検索部３４は、データ蓄積部１５から検索条件に類似した情報を抽出する提示データ推論部３７と、データ蓄積部１５から検索条件に適合した情報を抽出する提示データ検索部３８とを備えている。データ蓄積部１５から情報を検索する際には、リスト記憶部２３に記憶されたインターバルリストを参照して提示する情報の優先度を決めている。検索部３４によって抽出された情報は、テキストデータ、音声案内、画像表示、またこれらの組み合わせによって情報提示部３５にてユーザに提示される。
【００３２】
この私的情報管理装置１によれば、ユーザが経験済みの事象に関して、その経験を想起させる情報とともに蓄積することができる。また、この装置のデータ蓄積部１５を検索して得られる情報は、インターネットのようなネットワークにてキーワード検索する手法に比べ、ユーザが一旦経験した情報であるため、効率的でかつ実益の高い情報が取り出せる。
【００３３】
また、本発明の特徴は、この私的情報管理装置１にて管理された情報を利用するのが登録した本人である点である。そのため、ユーザが経験（体験）によって得た情報、またこの経験した事象に対する感想、評価、教訓といった私的情報は、一般化する必要がなく、ユーザのみが理解できる形式で記録されていればよい。また、経験した事象に関連する情報の取得は、上述した例のように、カメラ、マイク、ＧＰＳ等によって可能な限り自動的に取得されることが好ましい。本発明に係る私的情報管理装置１が必要とされるのは、実際には、ユーザが経験した事象に対して意識的に「メモ書き」、「覚え書き」を残すことが難しく、重要な情報を記録する機会を逃すため再び同様の状況になっても前回の経験を生かすことができないという実情があるからである。
【００３４】
以下、本発明の具体例として示す私的情報管理装置１について図２及び図３を用いて詳細に説明する。図２は、私的情報管理装置１を用いて行われる情報登録フェーズと情報利用フェーズとを分けて表した図であり、図３は、私的情報管理装置１の具体例を示したものである。本具体例では、ユーザがレストラン（店舗）で食事をする場合について説明する。したがって、情報登録フェーズは、レストランで食事をしたときの周囲の情報及びこのときの私的情報を登録する場面であり、情報利用フェーズは、別の機会に過去の経験に基づく情報を検索する場面である。
【００３５】
ユーザは、ある事象を経験するとき、常に私的情報管理装置１を所持していることが重要であるため、本具体例では私的情報管理装置１は、携帯可能なタイプになっている。また、私的情報管理装置自体は携帯型であっても、例えば、家庭用の据置型ＰＣ１００又はサーバ装置に相当する機器と接続可能になっていて、取得した情報を据置型ＰＣ１００又はサーバ装置に蓄積する構成にしてもよい。この場合、私的情報管理装置１のデータ蓄積部１５を独立して据置型ＰＣ１００又はサーバ装置側に設け、私的情報管理装置の本体部との間で無線或いは有線通信インターフェイスを介して情報を送受信すればよい。
【００３６】
私的情報管理装置１は、図３に示すように、位置情報を取得するＧＰＳ４１、ユーザの周囲の情報を取得するＣＣＤ（Charge Coupled Device）４２及びマイク４３を備えており、これらは、図１に示した情報登録フェーズのための情報取得部１１と情報利用フェーズのための情報取得部３１とを兼ねている。この私的情報管理装置１では、ユーザによる操作なくして自動的に画像データ、音声データを取得し、ＣＣＤ４２及びマイク４３は、所定間隔或いはユーザ周囲の環境の変化等をトリガとしてデータモデルに基づいた格納形式データを生成し格納するモードに変更しデータを格納している。例えば、突然大きな音を検出したとき、キーワード抽出部５１（後述する）にて指定されたキーワードが検出されたとき等をデータベース作成のためのトリガとする。本具体例の説明では、このように情報取得部１１にて取得されるユーザの経験に関するユーザ周囲の情報を必要に応じて、以下、経験情報と記す。
【００３７】
また、私的情報管理装置１は、ユーザが私的情報を付加するための私的情報付加部１２としての評価入力キー４４と、情報利用フェーズにおける検索入力やこの装置の操作入力を行う操作入力部４５とを備える。評価入力キー４４としては、押下回数に対応したポイントを評価値として入力する単純な押しボタンや、評価値を直接入力できるテンキーのような操作入力キーが適用できる。本具体例では、押しボタンの回数に応じて最良、良、普通、悪、最悪という評価が与えられる。評価入力キー４４からの評価入力は、必ずしもユーザの経験と同時期になされるものでなくてもよい。経験した事象に関して取得した情報に対して、後々入力することもできる。
【００３８】
なお、私的情報管理装置１は、情報取得部１１に対応する構成として上述した構成のほかに気温、湿度、天気等の天候情報を取得する構成を備えていてもよい。これら位置情報や天候情報を取得する手法としては、例えば、既に携帯電話にて実現されているような、基地局から定期的に送信される基地局情報に加えて位置情報や天候情報等を定期配信する手法があげられる。また、私的情報管理装置１に簡易的な温度センサ、湿度センサを設けてもよい。
【００３９】
私的情報管理装置１は、取得した画像データ、文章データ、音声データを認識する画像認識部４６と文章認識部４７と音声認識部４８とを備える。画像認識部４６は、ＣＣＤ４２から取得した画像データに対して画像認識処理を実行し、例えば、人物の顔部分を認識して抽出する処理を行う。また、文章認識部４７は、ＣＣＤ４２から取得した画像データに対してテキスト認識処理を実行し、例えば、看板等の文字のように画像のなかにある文字列や記号を認識して建物や標識の名称をテキストデータとして抽出する処理を行う。音声認識部４８は、音声認識処理部４９と言語処理部５０とキーワード抽出部５１とを有し、マイク４３から取得した音声データを音声認識処理部４０にて音声認識処理し、言語処理部５０にて音声情報をテキストデータに変換し、キーワード抽出部５１では、変換されたテキストデータからキーワードを抽出する。
【００４０】
また、私的情報管理装置１は、画像認識部４６、文章認識部４７、音声認識部４８から抽出されたデータを定義付けするデータ定義処理部５２を備えている。データ定義処理部５２は、情報登録フェーズのためのデータ定義処理部１４及び情報利用フェーズのための検索部３４に相当し、抽出されたデータを予め決められた定義にしたがって分類する或いは検索条件に応じてデータベース５３から情報を検索する。
【００４１】
例えば、私的情報管理装置１には、画像データとこの画像データに対する情報が記述されたテキストデータがデータベース５３に登録されている。例えば、人物の顔の画像データに対して友人の名前、住所、連絡先、年齢等が対応付けて記憶されている。また、更にこの人物に関連した家族、兄弟、配偶者、職場関係者、友人等の情報があれば併せ記憶されている。画像認識部４６、文章認識部４７、音声認識部４８にて抽出された画像データ、テキストデータ、及び音声データから判別される人物、建物の種類、建物の名称（文字列）等がデータベース５３に格納されたデータと比較して分類され新規データとして蓄積される。また、定義には、上述した位置情報（緯度、経度、高度）、日時データ、天候情報（晴、雨、曇り等）、気温（高・低）、湿度（高・低）、風（強・弱）、最寄駅、またユーザのみ理解できる通称名、評価値、評価の対象（立地条件、店員の評価、商品の評価、店の雰囲気、値段設定、料理の提供時間、その他の条件等）等があり、取得された情報は、これら定義に基づいて分類される。
【００４２】
取得後、定義付けされたデータは、データモデルに応じてモデル変換され、データベース管理システム（ＤＢＭＳ）を用いてデータベース５３に格納される。モデル変換の例としては、例えば、表形式で各データを定義しＤＢＭＳとしてリレーショナルデータベース（ＲＤＢ）を用いて管理する手法や、各データをＲＤＦｓ・ＯＷＬを用いて分類しＤＢＭＳとしてＲＤＦＤＢ或いはＸＭＬＤＢを用いて管理する手法がある。データベース５３に格納されたユーザが経験した事象に関する情報や私的情報は、後々ユーザの意図で編集できる。
【００４３】
このほかに私的情報管理装置１は、ユーザに対して情報を提示するための構成として、表示部としてのＬＣＤ５４、表示用デバイス５５、スピーカ５６、音声出力デバイス５７とを備えている。
【００４４】
また、本具体例にて示す私的情報管理装置１は、データ解析部５９を備え、データ解析部５９にて、繰り返し取得された経験情報、及び繰り返し検索対象として選択されたキーワードを含む情報の間隔（インターバル）を抽出しインターバルリストを作成している。データ解析部５９は、ユーザによる“経験の発生”に伴って、データベース５３に登録された経験情報のうち繰り返し取得された経験情報及び繰り返し検索対象として選択された情報を抽出し、抽出した情報の時間的間隔を算出する。この情報が取得された或いは選択された間隔のリストを作成する。データ解析部５９にて作成されたインターバルリストは、インターバルリスト記憶部６０に記憶される。
【００４５】
データ解析部５９にて作成されるインターバルリストの一例を図４に説明する。また、繰り返し取得された経験情報、繰り返し検索対象として選択されたキーワードの間隔（インターバル）について図５に表す。図５の黒三角マークは、場所ＸＸ又はカテゴリＹＹを含む情報が取得又は検索対象として選択されたタイミングを示している。インターバルリストには、例えば、場所、カテゴリ、人等の上述した定義付けに対応して、繰り返し取得された経験情報又は繰り返し検索対象として選択された間隔（インターバル）、最終更新時刻、最初に登録又は検索された時刻、更新回数（チェック回数）等が記述されている。図４のリストでは、場所ＸＸ、カテゴリＹＹというキーワードに対して、最初に登録された時刻（最初の発生時刻）、最新更新時刻（最近の発生時刻）、インターバル：ｎ１、インターバル：ｎ２、更新回数：ｋが記述されている。インターバルリスト７０は、データベース５３に登録された情報のうち、例えば、図５に示すように、場所ＸＸ、カテゴリＹＹに分類されるキーワードに対して、データベース５３に蓄積された情報を過去の１ヶ月間或いは３ヶ月間という所定期間で区切ったとき、その期間内に検索されたり取得されたりした場所ＸＸ、カテゴリＹＹを含む情報を抽出して作成したインターバルリストである。図４にてインターバルが２つあるのは、上述の所定期間にて繰り返し周期が数パターン検出できる場合である。
【００４６】
データベース５３に登録された情報のうち特徴ある情報毎にインターバルリストを作成することによって、ユーザの経験情報及び私的情報の偏りと頻度を知ることができる。インターバルリストの作成処理に関する詳細は、後述する。
【００４７】
以上説明した各構成は、ＣＰＵ、処理プログラム等が格納されたＲＯＭ及びＣＰＵの作業領域としてのＲＡＭを備える制御部５８によって統括制御されている。
【００４８】
続いて、ユーザが上述した私的情報管理装置１を用いて、経験した事象に関連する情報（経験情報）と私的情報とを登録する場合について説明する。ユーザがレストラン（店舗）で食事をするときの情報登録処理を図６に、登録した情報を後に利用する情報利用処理を図７に示す。
【００４９】
まず、ユーザが経験情報及び私的情報を取得する場合について説明する。ユーザは、上述した私的情報管理装置１を携帯してレストラン２００にて食事をする（経験事象：図２矢印Ａ）と、経験した事象に関連する情報が私的情報管理装置１に取得される（図２矢印Ｂ）。ここで、取得される情報には、経験情報と私的情報とがあるが、経験情報は、このときこの私的情報管理装置１によって、主に自動的に取得される。私的情報は、ユーザによって入力される（図２矢印Ｃ）。但し、私的情報の入力は、経験した事象に関する情報の取得と同時でない場合もある。
【００５０】
経験情報が取得されるタイミングは、レストラン２００に入る前にユーザが所定間隔で情報を自動取得するモードに設定すればよいのであるが、通常、ユーザはこのモード設定操作自体を意識的に行えない場合が多い。本発明では、経験した事象に関連する情報は、ユーザに意識されないように取得されていることが望ましいため、できるかぎり周囲の状況変化等をトリガとして自動的に経験情報を取得できるようにする。例えば、“いらっしゃいませ”という単語をトリガのためのキーワードとして予め定義したとすると、ユーザがレストラン２００に入り、私的情報管理装置１が“いらっしゃいませ”という単語を検出したとき、これをトリガとしてデータ作成モードに入る（図６に示すステップＳ１及びステップＳ２）。
【００５１】
このとき取得される経験情報の一例を図８に示す。以下の図では、便宜上、説明にかかる部分のみデータを記入しているが空欄の箇所にも別のデータが含まれているものとする。図８では、取得した情報の番号に対応付けられて、取得された時刻情報は、２００３年７月２２日１７時３０分であれば、“２００３０７２２１７３０”のように表され、位置情報は、“６０５９５８，１３５４５３６，５４６”（緯度６０°５９′５８″，経度１３５°４５′３６″，高度５４６ｍ）のように登録される。またこのほか、例えば基地局から送信された天候情報等の付帯状況の情報が付加される。更に、この経験情報の取得よりも以前に取得した情報から明らかになっている事実があれば、その情報も付加される。本具体例では、同伴者の情報である。なお、ここで取得される時刻情報は、ＧＰＳデータに含まれる正確な時刻情報でもよいし、例えば、“２００３／０７／２２  夜  ”、単に“昼”、“夜”、“休日”、“平日”のように抽象的な表現も含まれる。また、位置情報も同様に緯度経度に代わって駅名、建物名、施設名、ユーザに馴染みのある通称名等で表してもよい。このほうが、ユーザが情報利用フェーズにて検索したときに、より分かり易く使い易い情報として取り出されるからである。
【００５２】
また、ユーザによって入力される私的情報の一例を図９に示す。私的情報は、取得された経験情報に対応付けられて登録され、全体の評価、立地条件、店員の評価、商品の評価、店の雰囲気、値段設定、料理の提供時間、その他の条件等の更に詳細な評価等がある。各評価は、上述した押しボタン式の入力キーにより実際に入力されたポイント数で記録されてもよい。
【００５３】
ユーザに私的情報を入力させるタイミング（図２矢印Ｃ）は、上述したようにいつでもよく、取得した情報に対して後々付加することもできる。本具体例では、ユーザがレストラン２００での経験を終えたときに、すなわちこのレストランから別の場所に移動したときに音を発したり振動したりしてユーザに入力を促す。またこのほかに、例えばユーザ主導で経験情報の取得操作や私的情報の入力操作ができるモードが用意されていても勿論よい。
【００５４】
私的情報管理装置１は、ステップＳ１としてＣＣＤ、ＧＰＳ等を起動し待機しているときトリガが検出されると、ステップＳ２において、データ作成モードに移り経験情報を取得する。ステップＳ２にて取得された経験情報は、ステップＳ３以降において、それぞれ認識処理される。画像データであれば、ステップＳ３においてＣＣＤ４２から取得した画像データに対して画像認識処理を実行する。このとき、画像データであって画像中に文字情報が含まれている場合、ステップＳ４において文章認識部４７は、ＣＣＤ４２から取得した画像データに対してテキスト認識処理を実行し、例えば、看板等の文字のように画像のなかにある文字列や記号を認識して建物や標識の名称をテキストデータとして抽出する。また、音声データの場合、ステップＳ５において、取得した音声データを音声認識処理部４０にて音声認識処理し、ステップＳ６において言語処理部５０にて音声情報をテキストデータに変換し、ステップＳ７においてキーワード抽出部５１にてテキストデータからキーワードを抽出する。ＧＰＳ４１によって取得された位置情報、日時データ等のＧＰＳデータ及び操作部３５から入力されたテキストデータ等はそのまま使用できるため、次のステップに進む。
【００５５】
私的情報管理装置１は、ステップＳ８において、ユーザから私的情報の入力を受け付ける。このとき同時に、店名、場所等、経験情報として取得できなかった情報がユーザにより入力される。但し、私的情報の入力はこの段階で行われなくてもよい。ユーザが私的情報のみを入力するモードも用意しておく。取得された情報から得られたデータは、ステップＳ９において定義に基づいて分類され、ステップＳ１０においてデータベース５３に登録される。
【００５６】
以上の処理によれば、ユーザの経験情報と私的情報とが容易に検索できるように整理されてデータベース５３に登録される。また、この登録フェーズにおいて、ユーザの経験情報と私的情報は、繰り返し取得されたか情報か、又は繰り返し検索対象として選択された情報かが判別されインターバルリストが作成される。
【００５７】
以下に、インターバルリストの作成処理（更新処理）について説明する。インターバルリストの作成処理、又は更新処理が行われる局面としては、次の場合があげられる。例えば、（１）情報登録フェーズにてインターバルリストを検索して新規作成を行う場合、（２）インターバルリストの作成モードを定期的に立ち上げる場合、（３）インターバルリストの項目を調べて更新（或いは削除）する場合があげられる。ここでは、特にデータベース５２に格納された情報のうち、“場所”と、その“カテゴリ”として定義付けされた情報に対してインターバルリストを作成する場合について示す。例えば、場所がレストランであれば、カテゴリは、中華やイタリアンということになる。
【００５８】
（１）情報登録フェーズにてインターバルリストを検索して新規作成を行う場合
情報登録フェーズにてインターバルリストを検索して新規に作成する処理を図１０に示す。情報登録フェーズにて新規情報として新たな経験情報及び私的情報が登録されると、データ解析部５９は、ステップＳ２１において、インターバルリストを検索する。ステップＳ２２において、取得された経験情報及び私的情報を含むインターバルリストが存在するか否か判別する。リストがある場合には処理を終了するが、リストがない場合、ステップＳ２３において、この情報が取得された時刻を最初に登録された時刻（最初の発生時刻）及び最新更新時刻（最近の発生時刻）、としてインターバルリストを作成し、作成したインターバルリストをステップＳ２４において、インターバルリスト記憶部６０に記憶する。この処理は、図６に示した情報登録処理のステップＳ９に引き続き開始され、ステップＳ１０と並列して実行される。図６の情報登録処理が終了した後に行われてもよい。ここで説明する方法は、新たに取得される情報全てに対して一度は必ずインターバルリストを用意する場合であって、取得された情報に関連するキーワードが繰り返し発生しないときには、後段に説明する手法を取り入れることによりインターバルリストの更新及び削除が実行できる。
【００５９】
（２）情報登録フェーズから独立してインターバルリストの作成モードを立ち上げる場合
情報登録フェーズから独立してインターバルリストの作成モードを立ち上げインターバルリストをチェックする処理を図１１に示す。データ解析部５９は、ステップＳ３１として場所、カテゴリを条件としてデータベース５３に登録されたデータをソートする。ステップＳ３２において、この条件にあてはまるデータが過去の１ヶ月間或いは３ヶ月間という所定期間で区切ったとき、その期間内に検索されたり取得されたりすることによって所定回数以上発生しているか否か判別する。所定回数以上発生している場合には、ステップＳ３３において発生間隔（インターバル）を算出し、ステップＳ３４においてインターバルリストを作成してインターバルリスト記憶部６０に格納する。この処理は、定期的に実行される。
【００６０】
（３）インターバルリストの項目を調べて更新（或いは削除）する場合
（１）又は（２）の処理で作成されたインターバルリストは、適宜更新される必要がある。更新の条件としては、例えば、インターバルリストに記述される最新更新時刻（最近の発生時刻）からインターバルｎ１又はｎ２以上が経過している場合、発生した情報のインターバルがインターバルリストの値と異なる場合、更新回数が所定回数を上回っている場合（すなわち、情報が古くなった場合）があげられる。続いて、インターバルリストを更新する処理を図１２に示す。データ解析部５９は、ステップＳ４１として、取得されたユーザの経験情報と私的情報が繰り返し取得された情報であるか、検索条件の場合であれば繰り返し検索対象として選択された情報であるか判別する。既にインターバルリストが作成された情報であった場合、ステップＳ４２において、情報登録フェーズにてインターバルリストを検索して新規作成を行う処理でなく、且つ最新更新時刻（最近の発生時刻）からインターバルｎ１又はｎ２以上経過し、且つ更新回数が所定の回数以上であるという条件にあてはまるか否か判別する。この条件に適合する場合、ステップＳ４３にて、このインターバルリストを削除する。一方、あてはまらない場合、ステップＳ４４において今回の更新処理における更新回数及び更新時刻を記録する。次に、ステップＳ４５にて、ステップＳ４４において、記録された更新時刻と最新更新時刻（最近の発生時刻）とのインターバルが異なり、且つ更新回数が所定回数以上であるという条件にあてはまるか否かが判別される。この条件に適合する場合、ステップＳ４６において、インターバルリストのインターバルｎ１を更新する。また、あてはまらない場合、インターバルリストのインターベルｎ２に今回のインターバルを設定する。なお、ステップＳ４１にて新規登録の場合には、（１）の場合のようなインターバルリスト作成処理を行う。また、この処理は、図６に示した情報登録処理のステップＳ９に引き続き開始され、ステップＳ１０と並列して実行されてもよいし、図６の情報登録処理が終了した後に行われてもよい。また、情報登録フェーズから独立して定期的に実行されてもよい。
【００６１】
続いて、上述した情報登録部１０にて登録されたユーザの私的情報を利用する場合について説明する。ここでは、ユーザがレストランに関する情報を検索する場合について説明する。私的情報管理装置１は、入力された現在情報又は情報検索時に入力された検索キーに対してインターバルリストが作成された情報を優先的に提供する。
【００６２】
私的情報管理装置１は、情報検索条件が入力される（図２矢印Ｄ）。検索条件の入力としては、私的情報管理装置自らが取得したユーザの現在の状況に基づく情報に含まれるキーワードを検索キーとして自動的に選択する場合と、これに加えてユーザから直接入力された条件を使用する場合とがある。ユーザによる入力手法としては、検索条件入力のためのＧＵＩに基づいて項目毎に手動入力する手法、ガイダンスにしたがって音声入力する手法、又は単にキーワードを発音する手法等があげられる。以下では、音声にてユーザから検索条件が入力される場合について示す。
【００６３】
図７のステップＳ１１において、私的情報管理装置１は、情報登録フェーズと同様の方法で現在地の位置情報やそのほかの情報を取得する。次にステップＳ１２において、検索条件が入力されたか判別する。ユーザから検索条件が入力された場合、入力方法に応じてキーワードを抽出する。ユーザが検索条件を音声にて入力した場合、例えば、私的情報管理装置１に向かって“雰囲気のよいレストラン”と発音すると、音声認識部４８により、音声認識処理が実行され、“雰囲気”、“よい”、“レストラン”というキーワードが抽出される。
【００６４】
このとき取得される現在地の位置情報やそのほかの情報を、以下、現在情報と記す。ステップＳ１１にて取得した現在情報とステップＳ１２にて取得された場合の検索条件とを図１３及び図１４に示す。取得した情報の番号に対応付けられて、時刻情報は、２００３年８月３１日１２時１０分であれば、“２００３０８３１２１０”のように表され、位置情報は、“５８５９２０，１３５４２４０，５２０”（緯度５８°５９′２０″，経度１３５°４２′４０″，高度５２０ｍ）のように登録される。またこのほか、例えば基地局から送信された天候情報等の付帯状況の情報が取得される。私的情報管理装置１で取得された検索条件は、図１４に示すように、雰囲気が“良”であって、場所名が“レストラン”である。したがって、検索条件として使用されるデータは、これらを併せた図１５に示すデータ群が検索条件のキーワードになる。
【００６５】
ステップＳ１２にて取得された経験情報は、ステップＳ１３以降の処理にてそれぞれ認識処理される。画像データであれば、ステップＳ１３においてＣＣＤ４２から取得した画像データに対して画像認識処理を実行する。このとき、画像データであって画像中に文字情報が含まれている場合、ステップＳ１４において文章認識部４７は、ＣＣＤ４２から取得した画像データに対してテキスト認識処理を実行し、例えば、看板等の文字のように画像のなかにある文字列や記号を認識して建物や標識の名称をテキストデータとして抽出する。また、音声データの場合、ステップＳ１５において、取得した音声データを音声認識処理部４０にて音声認識処理し、ステップＳ１６において言語処理部５０にて音声情報をテキストデータに変換し、ステップＳ１７においてキーワード抽出部５１にてテキストデータからキーワードを抽出する。テキストデータ、ＧＰＳデータ等の場合には、そのまま次のステップに進む。ステップＳ１２にて、ユーザから検索条件が入力されなかった場合もまたステップＳ１８に進む。
【００６６】
ステップＳ１８では、ステップＳ１２乃至ステップＳ１７にて抽出された現在情報とユーザに入力された検索条件とに基づいて、データベース５３から検索条件を含む情報、検索条件に類似した情報等が抽出される。本具体例にて示す私的情報管理装置１は、抽出された現在情報とユーザに入力された検索条件とに基づいて情報を抽出する際に、インターバルリストを参照する。このとき、インターバルリスト記憶部６０に取得された現在情報又は検索条件として入力された検索キーを含むインターバルリストがある場合、インターバルリストに登録された情報を優先的に提示する。優先的に提示する準備として私的情報管理装置１では、インターバルリストに登録された情報をデータベース５３内におけるアクセス領域に配置する。アクセス領域とは、比較的使用頻度が高い情報を即座に抽出できるようにした記憶領域である。例えば、図２に示すように、私的情報管理装置１にて取得した情報を据置型ＰＣ１００に主要データを保管する構成とした場合には、インターバルリストにあげられた情報を私的情報管理装置内部の記憶部に取り戻して常時閲覧可能な状態にすることがあげられる。
【００６７】
データベース５３からユーザによって検索された情報を抽出するには、情報登録部１０で用いたデータベース管理システムを用いる。例えば、記憶ベース推論（ＭＢＲ）、２点間距離（ユークリッド距離）等が用いられる。検索方法としては、データベースに蓄積された情報の各項目が全て揃っているケースが発見されたときにはユーザによって入力された経験に対する評価値を優先し、各項目が揃っていないときには項目のマッチング度の高いものから抽出する。またユーザによって入力された検索条件にて指定された評価値を有するほかの経験時の情報を検索することもできる。
【００６８】
検索部３４としてのデータ定義処理部５２によって抽出された情報は、テキストデータ、音声案内、画像表示、またこれらの組み合わせによって、ステップＳ１９にてユーザに提示される（図２矢印Ｅ）。
【００６９】
検索結果は、ステップＳ１１にてユーザから検索条件が入力されていれば、このキーワードに基づく検索され、入力されていなければ現在情報に類似した条件で検索される。例えば、現在場所がレストランであって、ユーザが過去にここを訪れたことがあれば、そのときの評価結果を表す。また、訪れたことがなければ、過去に訪れたことのある近隣のレストラン情報を提示する。また、特に検索条件が入力されていなくても、現在時刻が食事の時間帯であれば、ユーザが位置する場所付近のレストラン情報を提示する。
【００７０】
検索結果として表示されるデータ例を図１６に示す。入力された現在情報及び検索条件に対して、検索結果００１、結果００２、結果００３、結果００４が表示される。これらの過去データは、何れもユーザが経験して得た情報である。ここでの表示順は、ユーザによる検索条件の内容が優先される。例えば、ユーザが“近い”を入力していれば、高評価の情報よりも現在位置から“近い”ことを優先して表示する。
【００７１】
また、私的情報管理装置１は、インターバルリストが作成された情報を算出したインターバルにあわせて事前に提示することもできる。例えば、あるインターバルである場所に関する情報検索が行う傾向にあるユーザに対しては、このインターバルリストを優先して、データベース５３から最適な情報を事前に抽出することができる。
【００７２】
以上説明したように、本発明の具体例として示す私的情報管理装置１によれば、ユーザが経験済みの事象に関して、その経験を想起させる情報とともに蓄積することができるため、この装置のデータ蓄積部を検索して得られる情報は、インターネットのようなネットワークにてキーワード検索する手法に比べ、ユーザが一旦経験した情報であって繰り返し使用する情報を優先的に提示するため、効率的でかつ実益の高い情報になっている。また、ユーザが経験済みの事象に対してその体験を想起させるため、ネットワークにて検索して得られた一般化された情報よりも実感が沸く。更には、ユーザが忘れている事象に関する想起にもつながる。
【産業上の利用可能性】
【００７３】
本発明は、ユーザが経験した事象に関連する情報を取得して蓄積し、後にキーワードにて検索可能になっている蓄積手段から情報が提示されればよく、蓄積手段がネットワーク上に存在していているような装置でもよい。この場合、個々のユーザの経験に基づく情報は、本人のみが使用できるようにしてもよいが、個々のユーザの経験に基づく情報を共有することもできる。
【００７４】
また、本発明の適用例として、インターバルが設定されている情報に関しては、情報検索時に優先的に検索できるようにデータ配置がされることを利用して、インターネットから情報を取得するにしても、例えば、ユーザが使用していない充電状態や待機状態のタイミングを利用して自動的にダウンロードすることで情報検索にかかる時間を大幅に節約することができる。
【図面の簡単な説明】
【００７５】
【図１】本発明の最良の形態として示す私的情報管理装置を説明する概念図である。
【図２】本発明の具体例として示す私的情報管理装置を用いた私的情報管理を説明する図である。
【図３】上記私的情報管理装置を説明する構成図である。
【図４】上記私的情報管理装置にて作成されるインターバルリストの例を説明する概念図である。
【図５】繰り返し取得された経験情報、繰り返し検索対象として選択されたキーワードの間隔（インターバル）を説明する図である。
【図６】上記私的情報管理装置において情報登録フェーズにおける情報登録処理を説明するフローチャートである。
【図７】上記私的情報管理装置において情報利用フェーズにおける情報抽出処理を説明するフローチャートである。
【図８】上記私的情報管理装置にて取得される経験情報の一例を説明する図である。
【図９】上記私的情報管理装置にてユーザによって入力される私的情報の一例を説明する図である。
【図１０】情報登録フェーズにてインターバルリストを検索して新規に作成する処理を説明するフローチャートである。
【図１１】情報登録フェーズから独立してインターバルリストの作成モードを立ち上げインターバルリストをチェックする処理を説明するフローチャートである。
【図１２】インターバルリストを更新する処理を説明するフローチャートである。
【図１３】上記私的情報管理装置において情報利用フェーズで取得される現在情報の例を説明する図である。
【図１４】上記私的情報管理装置において情報利用フェーズで入力される検索条件の例を説明する図である。
【図１５】上記私的情報管理装置で検索条件として使用されるデータの例を説明する図である。
【図１６】上記私的情報管理装置で検索結果として表示されるデータの例を説明する図である。
【符号の説明】
【００７６】
１    私的情報管理装置，  １０    情報登録部，  １１    情報取得部，
１２    私的情報付加部，  １３    データ認識処理部，
１４    データ定義処理部，  １５    データ蓄積部，  １６    画像認識部，
１７    テキスト処理部，  １８    音声処理部，  １９    音声認識部，
２０    言語処理部，  ２１    キーワード抽出部，  ２２    データ解析部，
２３    リスト記憶部，  ３０    情報利用部，  ３１    情報取得部，
３２    検索入力部，  ３３    データ認識処理部，  ３４    検索部，
３５    情報提示部，  ４１    ＧＰＳ，  ４２    ＣＣＤ，  ４３    マイク，
４４    評価入力キー，  ４５    操作入力部，  ４６    画像認識部，
４７    文章認識部，  ４８    音声認識部，  ４９    音声認識処理部，
５０    言語処理部，  ５１    キーワード抽出部，  ５２    データ定義処理部，
５３    データベース，  ５４    ＬＣＤ，  ５５    表示用デバイス，
５６    スピーカ，  ５７    音声出力デバイス，  ５８    制御部，
５９    データ解析部，  ６０    インターバルリスト記憶部
【図１】
2005149125.tif 000003
【図２】
2005149125.tif 000004
【図３】
2005149125.tif 000005
【図４】
2005149125.tif 000006
【図５】
2005149125.tif 000007
【図６】
2005149125.tif 000008
【図７】
2005149125.tif 000009
【図８】
2005149125.tif 000010
【図９】
2005149125.tif 000011
【図１０】
2005149125.tif 000012
【図１１】
2005149125.tif 000013
【図１２】
2005149125.tif 000014
【図１３】
2005149125.tif 000015
【図１４】
2005149125.tif 000016
【図１５】
2005149125.tif 000017
【図１６】
2005149125.tif 000018